(57)【要約】【課題】安全で効率良く電磁波を外部から受信し、測定に必要な電力を発生させることができる生体測定システム及び測定器を提供する。【解決手段】測定器１０は、二次電池１７の電力により血圧又は脈拍などの生体データを測定及び記憶する。この測定器１０は、処理装置２０から所定範囲内に放射される微弱な電磁波を受けて発生させた電力により、測定器１０を判別するための識別信号を処理装置２０に送信する。そして、識別信号を受信した処理装置２０は、微弱な電磁波より強い電磁波を発信する。測定器１０は、強い電磁波を受けて電力を発生させ、所定の圧力で装着部１０ａを測定部位に締め付ける。【選択図】図２
2008295819.tif 000002
【特許請求の範囲】
【請求項１】
測定部を生体の一部に接触させ、生体データを測定すると共に測定した生体データを記憶し、記憶した生体データを外部に送信する測定器と、該測定器から生体データを受信し、生体データの処理を行う処理装置とを備えた生体測定システムにおいて、
前記処理装置は、
第１電磁波を発信する第１発信手段を有しており、
前記測定器は、
前記第１電磁波を受けて第１電力を発生させる第１発生手段と、
該第１発生手段が発生させた第１電力により駆動され、応答信号を出力する出力手段とを有し、
前記処理装置は、
前記測定器が出力する応答信号を受信する受信手段と、
該受信手段が応答信号を受信した場合に、前記第１電磁波より強い第２電磁波を発信する第２発信手段とをさらに有し、
前記測定器は、
前記第２電磁波を受けて第２電力を発生させる第２発生手段と、
該第２発生手段が発生させた第２電力により駆動され、前記測定部を前記生体に接触させる電動手段と
をさらに有していることを特徴とする生体測定システム。
【請求項２】
前記測定器は、
前記第１電力又は前記第２電力により駆動され、記憶した前記生体データを前記処理装置へ送信する送信手段をさらに有していることを特徴とする請求項１に記載の生体測定システム。
【請求項３】
前記測定器は、
前記生体データの測定及び記憶させるための二次電池と、
前記第１電力又は前記第２電力を前記二次電池に充電する充電回路と
をさらに有していることを特徴とする請求項１又は２に記載の生体測定システム。
【請求項４】
測定部を生体の一部に接触させ、生体データを測定すると共に測定した生体データを記憶し、生体データを外部に送信する測定器において、
第１電磁波を外部から受けて第１電力を発生させる第１発生手段と、
該第１発生手段が発生させた第１電力により駆動され、応答信号を出力する出力手段と、
前記第１電磁波より強い第２電磁波を外部から受けて第２電力を発生させる第２発生手段と、
該第２発生手段が発生させた第２電力により駆動され、前記測定部を前記生体に接触させる電動手段と
を備えていることを特徴とする測定器。
【発明の詳細な説明】
【技術分野】
【０００１】
本発明は、脈拍又は血圧等の生体データを測定し、生体データのデータ処理を行う生体測定システム及び測定器に関する。
【背景技術】
【０００２】
健康管理を目的として、日常生活での脈拍又は血圧等を測定する携帯型の測定器がある。この測定器は、測定者に常時装着され、定期的に測定者の脈拍又は血圧等を測定し、記憶するようになっている。そして、記憶されたデータは、測定器とデータ通信する他の装置に送信され、測定結果の判定又は表示等の処理が行われる。また、測定器は、場所に拘らず使用されるため、内部に二次電池を備えている。そして、測定者は、二次電池の残量に応じて、充電又は交換する必要がある。
【０００３】
この二次電池の充電又は交換の煩わしさを解消するために、特許文献１には、携帯型の電子機器の二次電池を容易に充電できる充電システムが開示されている。具体的には、電子機器を充電装置に近づけることにより電子機器内の二次電池が充電されるようになっている。そして、充電装置は、枕又は布団等の日常生活用品に備えられ、電子機器は、測定者が装着するピアス又は腕輪等の装飾品に内蔵されている。これにより、装飾品を装着した測定者が日常生活用品に近づいた場合、電子機器も充電装置に近づくことになり、測定者は、意識することなく電子機器の二次電池を充電することができる。
【特許文献１】特開２００４−２３６７１３号公報
【発明の開示】
【発明が解決しようとする課題】
【０００４】
しかしながら、消費電力量が大きい電子機器では、充電装置により充電するまでに二次電池の残量がなくなる場合がある。例えば、電子機器が、上述した脈拍又は血圧等を測定する測定器である場合、測定を開始する際には、測定器を測定者の腕に所定の圧力で密着させる必要がある。このため、測定のための電力以外に、測定器を装着するための電力を余分に消費し、充電までに二次電池の残量がなくなるか、又は、頻繁に充電を行う必要がある。一方で、この問題を解消するために、二次電池の容量を大きくした場合、機器が大型化し、携帯し難くなるという問題が新たに生じる。このような電力消費の問題は、特許文献１では解消することができない。
【０００５】
また、特許文献１のように、測定者の意思に関係なく充電可能な状態とした場合、常に電磁波又は赤外線等のエネルギを放射する必要がある。この場合において、電子機器を内蔵しない普通のピアス又は腕輪等の貴金属が近づけられた場合、エネルギにより貴金属が暖められ発熱する可能性がある。また、常にエネルギを放射することは、効率が悪く、また、電磁波障害を引き起こす場合がある。
【０００６】
本発明はかかる事情に鑑みてなされたものであり、その目的とするところは、測定器において、応答信号を発信した場合に強い電磁波を外部から受信し、かかる電磁波を受けて電力を発生させる構成とすることにより、安全で効率良く電磁波を外部から受信し、測定に必要な電力を発生させることができる生体測定システム及び測定器を提供することにある。
【課題を解決するための手段】
【０００７】
本発明に係る生体測定システムは、測定部を生体の一部に接触させ、生体データを測定すると共に測定した生体データを記憶し、記憶した生体データを外部に送信する測定器と、該測定器から生体データを受信し、生体データの処理を行う処理装置とを備えた生体測定システムにおいて、前記処理装置は、第１電磁波を発信する第１発信手段を有しており、前記測定器は、前記第１電磁波を受けて第１電力を発生させる第１発生手段と、該第１発生手段が発生させた第１電力により駆動され、応答信号を出力する出力手段とを有し、前記処理装置は、前記測定器が出力する応答信号を受信する受信手段と、該受信手段が応答信号を受信した場合に、前記第１電磁波より強い第２電磁波を発信する第２発信手段とをさらに有し、前記測定器は、前記第２電磁波を受けて第２電力を発生させる第２発生手段と、該第２発生手段が発生させた第２電力により駆動され、前記測定部を前記生体に接触させる電動手段とをさらに有していることを特徴とする。
【０００８】
また、本発明に係る生体測定システムは、前記測定器は、前記第１電力又は前記第２電力により駆動され、記憶した前記生体データを前記処理装置へ送信する送信手段をさらに有していることを特徴とする。
【０００９】
さらに、本発明に係る生体測定システムは、前記測定器は、前記生体データの測定及び記憶させるための二次電池と、前記第１電力又は前記第２電力を前記二次電池に充電する充電回路とをさらに有していることを特徴とする。
【００１０】
本発明に係る測定器は、測定部を生体の一部に接触させ、生体データを測定すると共に測定した生体データを記憶し、生体データを外部に送信する測定器において、第１電磁波を外部から受けて第１電力を発生させる第１発生手段と、該第１発生手段が発生させた第１電力により駆動され、応答信号を出力する出力手段と、前記第１電磁波より強い第２電磁波を外部から受けて第２電力を発生させる第２発生手段と、該第２発生手段が発生させた第２電力により駆動され、前記測定部を前記生体に接触させる電動手段とを備えていることを特徴とする。
【００１１】
本発明では、測定器は、外部から第１電磁波を受けて第１電力を発生させ、応答信号を発信し、応答信号に応答する第１電磁波より強い第２電磁波を外部から受信する。そして、かかる第２電磁波を受けて、装着手段が駆動する第２電力を発生させる。即ち、測定器において、測定部を生体の一部に密着させる装着手段は、外部から電磁波を受けて発生させた電力により駆動する。
【００１２】
また、本発明では、測定器に記憶された生体データは、処理装置からの電磁波に基づいて発生した電力により処理装置に送信される。
【００１３】
さらに、本発明では、生体データの測定及び記憶に用いられる二次電池には、処理装置からの電磁波に基づいて発生した電力が充電される。
【発明の効果】
【００１４】
本発明により、測定に必要な電力を発生させることができ、測定部を装着させるための電力源を備える必要がなくなるという効果を有する。また、電力源を備える必要がないため、測定器の小型化が可能となるという効果を有する。さらに、測定器が他に使用するバッテリを有する場合であっても、かかるバッテリの電力を使用する必要がなくなるという効果を有する。また、処理装置は、測定器から応答信号を受信した場合に、測定器で電力を発生させるための電磁波を発信する構成としてあるため、処理装置から常に電磁波を発信する必要がなくなる。これにより、測定器は効率良く電磁波を受信でき、かつ、処理装置の周囲の電磁波障害を低減し、安全性を確保できるという効果を有する。
【発明を実施するための最良の形態】
【００１５】
以下、本発明の測定器及び生体測定システムの実施の形態について図面に基づき説明する。
【００１６】
図１は、本実施の形態にかかる生体測定システムを示す概略図である。生体測定システムは、図１に示すように、装着部１０ａ及び本体１０ｂからなる測定器１０、並びに処理装置２０から構成されている。測定器１０の装着部１０ａは、円環状であり、血圧及び脈拍等の生体データを測定する際に、測定部位である測定者の腕に通され、所定の圧力で測定部位を締め付ける。所定の圧力とは、測定部位の血圧及び脈拍の測定に最適な圧力である。また、測定器１０の本体１０ｂは、装着部１０ａを介して生体データを測定し、記憶すると共に、処理装置２０が発生する電磁波を受けて電力を発生させる。
【００１７】
より具体的には、測定器１０は、本体１０ｂにおいて発生した電力により、腕に通された装着部１０ａを締め付ける。そして、本体１０ｂに内蔵する二次電池の電力により、日常生活における測定者の生体データを測定し、記憶する。さらに、測定器１０は、本体１０ｂにおいて発生した電力により、記憶した生体データを処理装置２０へ送信する。
【００１８】
生体データは、血圧及び脈拍以外に、例えば、脈波、心拍、体脂肪、骨密度、血中酸素濃度、血糖値等であってもよい。また、測定部位は、腕以外に、手首又は足等であってもよい。
【００１９】
処理装置２０は、例えば、家庭用コンセントからの電力により駆動され、測定器１０において電力を発生させるための電磁波を発信する。そして、測定器１０から受信した生体データの結果を図示しない印刷機から出力する出力処理、又は、蓄積した生体データの平均を演算する演算処理を行う。
【００２０】
図２は、図１の生体測定システム１の電気的構成を示すブロック図である。装着部１０ａは、図２に示すように、空気袋１０１及び腕検出センサ１０２を有している。腕検出センサ１０２は、円環状の装着部１０ａの内周面に設けられた接触センサであって、装着部１０ａと測定者の腕との接触により、装着部１０ａが測定者の腕に装着されているか否かを検出する。
【００２１】
また、空気袋１０１は、円環状の装着部１０ａの内部に設けられており、エアチューブ（図示せず）を介して接続される本体１０ｂの電動ポンプ１１ａから空気が供給される。空気が供給されることにより空気袋１０１が膨張する。また、空気袋１０１内の空気は、本体１０ｂの電磁弁１１ｂを開放することより排気される。
【００２２】
即ち、電動ポンプ１１ａから空気を供給し空気袋１０１を膨張させることにより、装着部１０ａが所定の圧力で測定部位を締め付けるようになっている。そして、電磁弁１１ｂを開放して、空気袋１０１内の空気を排気することにより、腕を抜くことができる程度に装着部１０ａが緩むようになっている。なお、空気袋１０１には図示しない圧力センサが設けられており、圧力センサに基づいて空気袋１０１へ空気が供給／排気され、空気圧が調整される。
【００２３】
測定器１０の本体１０ｂは、装着部１０ａと接続しており、電動ポンプ１１ａ、電磁弁１１ｂ、制御部１２、装着解除スイッチ１３、データ測定部１４、メモリ１５及び送信部１６を有している。
【００２４】
電動ポンプ１１ａは、装着部１０ａの空気袋１０１と接続してあり、空気袋１０１に空気を供給する。電磁弁１１ｂは、空気袋１０１と電動ポンプ１１ａとの間に介在し、開放することにより空気袋１０１内の空気を排気する。電動ポンプ１１ａ及び電磁弁１１ｂは、制御部１２から電力が供給されることで駆動され、制御部１２により制御される。
【００２５】
制御部１２は、空気袋１０１に設けられる圧力センサ及び腕検出センサ１０２に基づいて、電動ポンプ１１ａ及び電磁弁１１ｂを駆動制御して空気袋１０１の空気圧を調整する。具体的には、制御部１２は、腕検出センサ１０２により装着部１０ａと測定部位との接触を検出した場合、電動ポンプ１１ａを駆動し、装着部１０ａの空気袋１０１に空気を供給する。この場合において、空気袋１０１の圧力センサにより空気圧を検出し、空気袋１０１が所定の圧力を越えている場合、電磁弁１１ｂを開放し、空気袋１０１内の空気を排気する。
【００２６】
また、制御部１２は、装着解除スイッチ１３の検出結果に基づいて、電磁弁１１ｂを駆動制御して空気袋１０１を減圧する。装着解除スイッチ１３は、図１に示すように、測定者が操作可能に本体１０ｂに設けられ、オン／オフとを切り替えるスイッチである。そして、装着部１０ａを装着する際にオフに切り替え、締め付けた装着部１０ａを緩めたい場合にオンに切り替えられる。具体的には、制御部１２は、装着解除スイッチ１３がオンにされたことを検出した場合、電磁弁１１ｂを開放し、空気袋１０１の空気を排気する。かかる制御部１２は、後述の第２受電トランス１９Ｂから供給される電力により駆動される。
【００２７】
また、制御部１２は、腕検出センサ１０２により装着部１０ａと測定部位との接触を検出しない場合、即ち、装着部１０ａが測定者の腕に通されていない場合、第２受電トランス１９Ｂから供給される電力を充電回路１８に供給する。充電回路１８は、供給された電力を二次電池１７に充電する。
【００２８】
データ測定部１４は、装着部１０ａが測定部位を締め付けている場合に、生体データを測定する。具体的には、締め付けた測定部位の脈圧の変化を、空気袋１０１を介して検出し、脈拍又は血圧等を演算する。データ測定部１４は、メモリ１５と接続してあり、測定した生体データをメモリ１５に出力する。メモリ１５は、例えばＥＰＲＯＭ（Erasable and Programmable Rom）であって、データ測定部１４が測定した生体データを記憶する。データ測定部１４及びメモリ１５は、後述の二次電池１７から供給される電力により駆動される。
【００２９】
送信部１６は、処理装置２０とデータ通信を行うアンテナを有し、メモリ１５に記憶された生体データを処理装置２０に送信する。また、送信部１６は、第１受電トランス１９Ａから供給される電力により駆動され、駆動開始時に処理装置２０に測定器１０の識別信号（応答信号）を送信する。識別信号は、例えば、送信部１６が有するメモリに記憶される識別コードを含んでいる。この識別コードは処理装置２０にも記憶されており、処理装置２０は、受信した識別信号の識別コードと自身が記憶する識別コードとを対比し、測定器１０を判別する。
【００３０】
また、測定器１０の本体１０ｂは、上述の制御部１２、データ測定部１４、メモリ１５及び送信部１６を駆動するための電力供給源として、二次電池１７、充電回路１８、第１受電トランス（第１発生手段）１９Ａ及び第２受電トランス（第２発生手段）１９Ｂを有している。
【００３１】
二次電池１７は、繰り返し充電が可能な蓄電池であって、データ測定部１４及びメモリ１５に電力を供給する。測定器１０が二次電池１７を有することにより、使用場所に関係なくデータ測定部１４及びメモリ１５を駆動し、生体データの測定が可能となる。かかる二次電池１７には、充電回路１８により第２受電トランス１９Ｂにおいて発生した電力が充電され、持続時間を長くすることができる。
【００３２】
第１受電トランス１９Ａ及び第２受電トランス１９Ｂは、処理装置２０が発信する電磁波を受けて電力を発生させる。具体的には、第１受電トランス１９Ａ及び第２受電トランス１９Ｂは何れも、巻線が円筒状に巻回されたコイル（図示せず）を有している。巻線は、例えば、巻線は、銅、銅合金、銀、銀合金、金、金合金、アルミニウム、アルミニウム合金、錫及び錫合金等の材料から形成される。そして、電磁波の大きさ、及び巻線の巻き方及び巻数によってコイルのインダクタンスを調整することにより、第１受電トランス１９Ａ及び第２受電トランス１９Ｂにおいて発生する電力の大きさの調整が可能となる。
【００３３】
第１受電トランス１９Ａは、処理装置２０の第１送電トランス２１Ａから発信される微弱な電磁波（第１電磁波）を受け、電力を発生させる。微弱な電磁波とは、処理装置２０から所定範囲内（例えば、半径１メートル内）に放射される大きさの電磁波である。即ち、測定器１０を処理装置２０から所定距離まで近づけることにより、第１受電トランス１９Ａにおいて電力が発生する。そして、発生した電力は、送信部１６に供給される。換言すれば、第１受電トランス１９Ａは、送信部１６を駆動し、データ信号の送信を可能にする電力を発生させる。
【００３４】
また、第２受電トランス１９Ｂは、処理装置２０の第２送電トランス２１Ｂから発信され、微弱な電磁波よりも強い電磁波（第２電磁波）を受け、電力を発生させる。即ち、第２受電トランス１９Ｂは、第１受電トランス１９Ａよりも大きい電力を発生するように構成されている。第２受電トランス１９Ｂにおいて発生した電力は、制御部１２及び充電回路１７に供給される。換言すれば、第２受電トランス１９Ｂは、制御部１２を駆動し、装着部１０ａを測定部位に締め付ける電力、又は、二次電池１７を充電する電力を発生させる。
【００３５】
上述のように、測定器１０は、二次電池１７の電力により生体データの測定が可能となり、第１受電トランス１９Ａ及び第２受電トランス１９Ｂが発生させる電力により、装着部１０ａの装着及び生体データの送信が可能となる。即ち、二次電池１７の電力は、本来の目的である生体データの測定以外に使用されることがなく、無駄な電力の消費をなくすことができる。
【００３６】
処理装置２０は、データ通信する測定器１０から受信した生体データの処理を行う。かかる処理装置２０は、第１送電トランス（第１発信手段）２１Ａ、第２送電トランス（第２発信手段）２１Ｂ、受信部（受信手段）２２、制御部２３、及び変圧整流回路２４を有している。
【００３７】
第１送電トランス２１Ａ及び第２送電トランス２１Ｂは、何れもコイル（図示せず）を有しており、コイルに電流を流し電磁波を発生させる。電磁波の大きさは、コイルの巻線の巻き方、巻数及び電流の強弱により調整が可能となる。第１送電トランス２１Ａは、上述した微弱な電磁波を発信する。この微弱な電磁波の大きさは、本体１０ｂが処理装置２０から発信される微弱な電磁波を受けることができる距離に応じて適宜変更される。即ち、第１送電トランス２１Ａにおけるコイルの巻線の巻き方、巻数、及びコイルに流す電流の大きさ等は、電磁波の放射範囲に応じて決定される。
【００３８】
また、第２送電トランス２１Ｂは、第１送電トランス２１Ａよりも強い電磁波を発信するように構成されている。この強い電磁波の大きさは、本体１０ｂにおいて電動ポンプ１１ａ及び電磁弁１１ｂを駆動し、装着部１０ａを測定部位に所定の圧力で締め付けることができる大きさである。なお、第２送電トランス２１Ｂにおけるコイルの巻線の巻き方、巻数、及びコイルに流す電流の大きさ等は、測定器１０の第２受電トランス１９Ｂにおける巻線の巻き方、巻数、及び発生させる電力の大きさとの組み合わせにより決定される。
【００３９】
受信部２２は、測定器１０とデータ通信を行うアンテナを有し、生体データ及び識別信号を測定器１０から受信する。受信したデータ信号は、制御部２３に出力される。
【００４０】
制御部２３は、第１送電トランス２１Ａ及び第２送電トランス２１Ｂの駆動制御を行う。具体的には、処理装置２０の駆動時には第１送電トランス２１Ａを駆動し、微弱な電磁波を発生させる。また、測定器１０から識別信号を受信した場合、第２送電トランス２１Ｂを駆動し、微弱な電磁波より強い電磁波を発生させる。さらに、制御部２３は、測定器１０から受信した生体データの演算処理又は出力処理等を行う。
【００４１】
変圧整流回路２４は、家庭用コンセントに差し込む電源プラグ２４ａが接続され、供給される電圧を変圧、例えば交流１００Ｖの電圧を交流１０Ｖまで降圧し、整流及び平滑して、安定した直流電源にする。そして、受信部２２及び制御部２３に電力を供給する。
【００４２】
（処理動作）
次に、図３及び図４を参照して、測定器１０及び処理装置２０のそれぞれの動作を説明することにより、生体測定システムの動作を説明する。図３は、測定器１０の動作を示すフローチャートである。図４は、処理装置２０の制御部２３の動作を示すフローチャートである。
【００４３】
まず、測定器１０における動作を説明する。測定器１０、具体的には、本体１０ｂは、測定者により処理装置２０に近づけられる（Ｓ１）。そして、測定器１０の本体１０ｂが、処理装置２０が発信する微弱な電磁波を受信できる距離まで近づけられた場合、第１受電トランス１９Ａにおいて電力が発生する（Ｓ２）。第１受電トランス１９Ａにおいて発生した電力が送信部１６に供給され、送信部１６が駆動され、送信部１６から識別信号が送信される（Ｓ３）。
【００４４】
識別信号は処理装置２０により受信され、処理装置２０から微弱な電磁波より強い電磁波が発信される。そして、測定器１０の本体１０ｂが、かかる強い電磁波を受け、第２受電トランス１９Ｂにおいて電力が発生する（Ｓ４）。そして、第２受電トランス１９Ｂにおいて発生した電力が制御部１２に供給され、制御部１２が駆動される（Ｓ５）。制御部１２は、腕検出センサ１０２による検出結果に基づいて、装着部１０ａが測定者の腕に装着されているか否かを判定する（Ｓ６）。装着部１０ａが測定者の腕に装着されている場合（Ｓ６：ＹＥＳ）、制御部１２は、第２受電トランス１９Ｂにおいて発生した電力を充電回路１８に供給し、充電回路１８が供給された電力を二次電池１７に充電する（Ｓ７）。
【００４５】
装着部１０ａが測定者の腕に装着されていない場合（Ｓ６：ＮＯ）、制御部１２は、空気袋１０１の圧力センサに基づいて装着部１０ａが測定部位を締め付けているか否かを判定する（Ｓ８）。装着部１０ａが測定部位を締め付けていない場合（Ｓ８：ＮＯ）、制御部１２は、圧力センサに基づいて空気袋１０１への空気の供給／排気を行う（Ｓ９）。これにより、測定器１０は、装着部１０ａが測定部位を締め付け、生体データの測定が可能な状態となる（Ｓ１０）。
【００４６】
装着部１０ａが測定部位を締め付けている場合（Ｓ８：ＹＥＳ）、制御部１２は、装着解除スイッチ１３がオンであるか否かを判定する（Ｓ１１）。装着解除スイッチ１３がオンである場合（Ｓ１１：ＹＥＳ）、制御部１２は、電磁弁１１ｂを開放する（Ｓ１２）。これにより、装着部１０ａが緩まり、装着部１０ａから腕を抜くことが可能な状態となる（Ｓ１３）。装着解除スイッチ１３がオンでない場合（Ｓ１１：ＮＯ）、送信部１６から生体データが処理装置２０に送信される（Ｓ１４）。
【００４７】
なお、測定器１０が処理装置２０から電磁波を受信できない距離まで離れた場合、測定器１０は、電力を発生しなくなる。そして、装着部１０ａが測定部位を締め付けている場合には、生体データの測定及び記憶のみを行う。
【００４８】
次に、制御部２３の処理動作を説明することにより、処理装置２０における動作を説明する。処理装置２０の制御部２３は、変圧整流回路２４から供給される電力により駆動され、第１送電トランス２１Ａを駆動する（Ｓ２０）。これにより、処理装置２０から微弱な電磁波が発信する。そして、制御部２３は、測定器１０から識別信号を受信したか否かを判定する（Ｓ２１）。識別信号を受信していない場合（Ｓ２１：ＮＯ）、制御部２３は、受信するまで待機する。
【００４９】
識別信号を受信した場合（Ｓ２１：ＹＥＳ）、制御部２３は、第２送電トランス２１Ｂを駆動する（Ｓ２２）。処理装置２０は、微弱な電磁波を発信し、識別信号を受信した場合に第２送電トランス２１Ｂを駆動するため、常に強い電磁波を発信させる必要がない。このため、処理装置２０の周囲において、強い電磁波による電磁波障害を低減できる。
【００５０】
次に、制御部２３は、測定器１０から生体データを受信したか否かを判定する（Ｓ２３）。生体データを受信した場合（Ｓ２３：ＹＥＳ）、制御部２３は、受信した生体データの処理を行う（Ｓ２４）。例えば、制御部２３は、生体データを図示しない印刷機から出力する。一方、生体データを受信していない場合（Ｓ２３：ＮＯ）、制御部２３は、Ｓ２５に処理を移す。
【００５１】
Ｓ２５において、制御部２３は、所定時間が経過したか否かを判定する（Ｓ２５）。ここで、所定時間とは、少なくとも測定器１０の装着部１０ａが測定部位を締め付けるのに要する時間である。所定時間が経過していない場合（Ｓ２５：ＮＯ）、制御部２３は、Ｓ２３に処理を移す。所定時間が経過した場合（Ｓ２５：ＹＥＳ）、第２送電トランス２１Ｂを停止する（Ｓ２６）。即ち、第２送電トランス２１Ｂからの電磁波の発信を停止する。その後、制御部２３は、Ｓ２１に処理を移す。処理装置２０の制御部２３は、変圧整流回路２４から電力が供給され続ける限り、上述の動作を繰り返す。
【００５２】
処理装置２０の制御部２３は、家庭用コンセントから電源プラグ２４ａが抜かれた場合、変圧整流回路２４から電力が供給されなくなり、停止する。従って、制御部２３は、図４の処理途中であっても処理を終了する。
【００５３】
なお、Ｓ２５において、所定時間が経過した場合に第２送電トランス２１Ｂをオフにしているが、測定器１０から装着部１０ａの装着が完了した旨の信号を受信し、かかる信号を受信した場合に、第２送電トランス２１Ｂをオフにするようにしてもよい。
【００５４】
以上説明したように、本実施の形態の測定器１０は、二次電池１７の電力により生体データを測定及び記憶する。この測定器１０は、処理装置１０から微弱な電磁波を受けて発生させた電力により、識別信号を処理装置２０に送信する。そして、識別信号を受信した処理装置２０は、微弱な電磁波より強い電磁波を発信する。測定器１０は、強い電磁波を受けて電力を発生させ、装着部１０ａを測定部位に装着する。即ち、装着部１０ａを装着させるためのバッテリを二次電池１７以外に備える必要がなく、測定器１０の小型化が可能となる。
【００５５】
また、測定器１０は、処理装置２０からの電磁波を受けて電力を発生させ、係る電力により装着部１０ａを測定部位に締め付けるため、二次電池１７の電力が生体データの測定以外に使用されることがない。これにより、測定器１０の本来の目的である生体データの測定をより長く行うことができる。
【００５６】
また、処理装置２０は、測定器１０から識別信号を受信した場合に強い電磁波を発信する構成としてあるため、処理装置２０から常に強い電磁波を発信する必要がなくなる。これにより、処理装置２０の周囲の電磁波障害を低減し、安全性を確保できる。また、測定器１０は、二次電池１７の電力を消費することなく生体データを処理装置２０に送信できる。さらに、発生させた電力が二次電池１７に充電されるため、二次電池１７をより長く使用できる。
【００５７】
なお、上述の実施の形態では、測定器１０は識別コードを含む識別信号を送信する構成としているが、識別コードを含まず、測定器１０が処理装置２０に所定範囲まで近づいたことを処理装置２０が判別できる信号であればよい。また、第１受電トランス１９Ａにおいて発生した電力により、生体データが送信される構成となっているが、二次電池１７の電力により送信するようにしてもよいし、第２受電トランス１９Ｂにおいて発生した電力により、送信するようにしてもよい。さらに、二次電池１７を充電するタイミングは、上述の実施の形態に限定されることはない。
【００５８】
また、生体測定システムにおいて、１つの処理装置２０に対して複数の測定器１０が使用できる構成にしてもよい。具体的には、処理装置２０に各測定器の識別コードを記憶する。そして、測定器から識別コードを含む識別信号を受信し、識別信号に含まれる識別コードが処理装置２０に記憶されている場合に、第２送電トランス２１Ｂから電磁波を発信させるようにしてもよい。この場合、一つの処理装置２０で複数の測定者の生体データを処理することができる。
【００５９】
以上、本発明の好適な一実施の形態について、具体的に説明したが、各構成及び各処理動作等は適宜変更可能であって、上述の実施の形態に限定されることはない。
【図面の簡単な説明】
【００６０】
【図１】本実施の形態にかかる生体測定システムを示す概略図である。
【図２】図１の生体測定システムの電気的構成を示すブロック図である。
【図３】測定器の動作を示すフローチャートである。
【図４】管理装置の制御部の動作を示すフローチャートである。
【符号の説明】
【００６１】
１      生体測定システム
１０    測定器
１７    二次電池
１９Ａ  第１受電トランス
１９Ｂ  第２受電トランス
２０    処理装置
２１Ａ  第１送電トランス
２１Ｂ  第２送電トランス
【図１】
2008295819.tif 000003
【図２】
2008295819.tif 000004
【図３】
2008295819.tif 000005
【図４】
2008295819.tif 000006